【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
無線通信を行う無線通信部、及び所定情報を記憶するメモリを有する携帯端末装置と、前記所定情報の書き換え可能なＲＦＩＤ部、前記ＲＦＩＤ部のアンテナ、及び前記所定情報をバックアップする第１の記憶手段を有する外部記憶装置とを有する通信システムにおいて、
前記外部記憶装置は、
前記携帯端末装置固有の識別情報を記憶する第２の記憶手段と、
前記無線通信部と無線通信を行うとき、前記アンテナによって受信した前記携帯端末装置固有の識別情報と、前記第２の記憶手段に記憶された識別情報とが一致するか否かを判断する判断手段とを有し、
前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする通信システム。
【請求項２】
前記外部記憶装置は、
前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とする請求項１記載の通信システム。
【請求項３】
前記外部記憶装置は、
前記第１の記憶手段を初期化するとき、
前記ＲＦＩＤ部は前記アンテナから所定周波数の電波を発信して前記携帯端末装置固有の識別情報の送信を要求し、
前記アンテナによって受信した前記携帯端末装置固有の識別情報により前記第２の記憶手段に記憶された前記識別情報を更新し、
前記第１の記憶手段を初期化することを特徴とする請求項１又は２記載の通信システム。
【請求項４】
無線通信を行う無線通信部、及び所定情報を記憶するメモリを有する携帯端末装置と、前記所定情報の書き換え可能なＲＦＩＤ部、前記ＲＦＩＤ部のアンテナ、及び前記所定情報をバックアップする第１の記憶手段を有する充電装置とを有する通信システムにおいて、
前記充電装置は、
前記携帯端末装置固有の識別情報を記憶する第２の記憶手段と、
前記無線通信部と無線通信を行うとき、前記アンテナによって受信した前記携帯端末装置固有の識別情報と、前記第２の記憶手段に記憶された識別情報とが一致するか否かを判断する判断手段とを有し、
前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする通信システム。
【請求項５】
前記充電装置は、
前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とする請求項４記載の通信システム。
【請求項６】
前記充電装置は、
前記第１の記憶手段を初期化するとき、
前記ＲＦＩＤ部は前記アンテナから所定周波数の電波を発信して前記携帯端末装置固有の識別情報の送信を要求し、
前記アンテナによって受信した前記携帯端末装置固有の識別情報により前記第２の記憶手段に記憶された前記識別情報を更新し、
前記第１の記憶手段を初期化することを特徴とする請求項４又は５記載の通信システム。
【請求項７】
前記充電装置は、前記アンテナを介して電磁波を放射して前記携帯端末装置に電気を供給する電源供給手段を有し、
前記携帯端末装置は、
前記携帯端末装置に電力を供給する電池と、
前記無線通信部を介して受信した前記電磁波を電気に変換して前記電池を充電する充電制御手段とを有することを特徴とする請求項４から６のいずれか１項記載の通信システム。
【請求項８】
所定情報の書き換え可能なＲＦＩＤ部と、前記ＲＦＩＤ部のアンテナと、前記所定情報をバックアップする第１の記憶手段と有する充電装置において、
携帯端末装置固有の識別情報を記憶する第２の記憶手段と、
前記携帯端末装置と無線通信を行うとき、前記アンテナによって受信した前記携帯端末装置固有の識別情報と、前記第２の記憶手段に記憶された識別情報とが一致するか否かを判断する判断手段とを有し、
前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする充電装置。
【請求項９】
前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とする請求項８記載の充電装置。
【請求項１０】
前記第１の記憶手段を初期化するとき、
前記ＲＦＩＤ部は前記アンテナから所定周波数の電波を発信して前記携帯端末装置固有の識別情報の送信を要求し、
前記アンテナによって受信した前記携帯端末装置固有の識別情報により前記第２の記憶手段に記憶された前記識別情報を更新し、
前記第１の記憶手段を初期化することを特徴とする請求項８又は９記載の充電装置。
【請求項１１】
前記充電装置は、前記アンテナを介して電磁波を放射して前記携帯端末装置に電気を供給する電源供給手段を有することを特徴とする請求項８から１０のいずれか１項記載の充電装置。
【請求項１２】
無線通信を行う無線通信部、及び所定情報を記憶するメモリとを有する携帯端末装置と、前記所定情報の書き換え可能なＲＦＩＤ部、前記ＲＦＩＤ部のアンテナ、前記所定情報をバックアップする第１の記憶手段、及び前記携帯端末装置固有の識別情報を記憶する第２の記憶手段を有する外部記憶装置とを有する通信システムの通信方法において、
前記外部記憶装置は、
前記無線通信部と無線通信を行うとき、前記アンテナによって受信した前記携帯端末装置固有の識別情報と、前記第２の記憶手段に記憶された識別情報とが一致するか否かを判断する判断工程と、
前記判断工程によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納する工程とを有することを特徴とする通信方法。
【請求項１３】
前記外部記憶装置は、
前記判断工程によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信する工程を有することを特徴とする請求項１２記載の通信方法。
【請求項１４】
前記外部記憶装置は、
前記第１の記憶手段を初期化するとき、
前記ＲＦＩＤ部により前記アンテナから所定周波数の電波を発信して前記携帯端末装置固有の識別情報の送信を要求する工程と、
前記アンテナによって受信した前記携帯端末装置固有の識別情報により前記第２の記憶手段に記憶された前記識別情報を更新する工程と、
前記第１の記憶手段を初期化する工程とを有することを特徴とする請求項１２又は１３記載の通信方法。
【請求項１５】
無線通信を行う無線通信部、及び所定情報を記憶するメモリとを有する携帯端末装置と、前記所定情報の書き換え可能なＲＦＩＤ部、前記ＲＦＩＤ部のアンテナ、前記所定情報をバックアップする第１の記憶手段、及び前記携帯端末装置固有の識別情報を記憶する第２の記憶手段を有する充電装置とを有する通信システムの通信方法において、
前記充電装置は、
前記無線通信部と無線通信を行うとき、前記アンテナによって受信した前記携帯端末装置固有の識別情報と、前記第２の記憶手段に記憶された識別情報とが一致するか否かを判断する判断工程と、
前記判断工程によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納する工程とを有することを特徴とする通信方法。
【請求項１６】
前記充電装置は、
前記判断工程によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信する工程を有することを特徴とする請求項１５記載の通信方法。
【請求項１７】
前記充電装置は、
前記第１の記憶手段を初期化するとき、
前記ＲＦＩＤ部により前記アンテナから所定周波数の電波を発信して前記携帯端末装置固有の識別情報の送信を要求する工程と、
前記アンテナによって受信した前記携帯端末装置固有の識別情報により前記第２の記憶手段に記憶された前記識別情報を更新する工程と、
前記第１の記憶手段を初期化する工程とを有することを特徴とする請求項１５又は１６記載の通信方法。
【請求項１８】
前記携帯端末装置は、前記携帯端末装置に電力を供給する電池を有し、
前記充電装置は、前記アンテナを介して電磁波を放射して前記携帯端末装置に電気を供給する工程を有し、
前記携帯端末装置は、前記無線通信部を介して受信した前記電磁波を電気に変換して前記電池を充電する工程を有することを特徴とする請求項１５から１７のいずれか１項記載の通信方法。
【手続補正２】
【補正対象書類名】明細書
【補正対象項目名】発明の名称
【補正方法】変更
【補正の内容】
【発明の名称】通信システム、充電装置及び通信方法
【手続補正３】
【補正対象書類名】明細書
【補正対象項目名】０００１
【補正方法】変更
【補正の内容】
【０００１】
本発明は、通信システム、充電装置及び通信方法に関し、特に、携帯端末装置のバックアップ機能を有する通信システム、充電装置及び通信方法に関する。
【手続補正４】
【補正対象書類名】明細書
【補正対象項目名】００１４
【補正方法】変更
【補正の内容】
【００１４】
そこで、本発明は、充電装置に記憶された識別情報と携帯端末装置から受信した識別情報とが一致しなかった場合に、充電装置のメモリアクセスを許可しないことにより、充電装置から無断にデータを読み出し、携帯端末装置にデータを格納して持ち出すことを防止することができる通信システム、充電装置及び通信方法を提案することを目的としている。
【手続補正５】
【補正対象書類名】明細書
【補正対象項目名】００１５
【補正方法】変更
【補正の内容】
【００１５】
本発明は、無線通信を行う無線通信部、及び所定情報を記憶するメモリを有する携帯端末装置と、前記所定情報の書き換え可能なＲＦＩＤ部、前記ＲＦＩＤ部のアンテナ、及び前記所定情報をバックアップする第１の記憶手段を有する外部記憶装置とを有する通信システムにおいて、前記外部記憶装置は、前記携帯端末装置固有の識別情報を記憶する第２の記憶手段と、前記無線通信部と無線通信を行うとき、前記アンテナによって受信した前記携帯端末装置固有の識別情報と、前記第２の記憶手段に記憶された識別情報とが一致するか否かを判断する判断手段とを有し、前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする。
【手続補正６】
【補正対象書類名】明細書
【補正対象項目名】００１６
【補正方法】変更
【補正の内容】
【００１６】
本発明は、上記通信システムにおいて、前記外部記憶装置は、前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とすることができる。
【手続補正７】
【補正対象書類名】明細書
【補正対象項目名】００１７
【補正方法】変更
【補正の内容】
【００１７】
本発明は、上記通信システムにおいて、前記外部記憶装置は、前記第１の記憶手段を初期化するとき、前記ＲＦＩＤ部は前記アンテナから所定周波数の電波を発信して前記携帯端末装置固有の識別情報の送信を要求し、前記アンテナによって受信した前記携帯端末装置固有の識別情報により前記第２の記憶手段に記憶された前記識別情報を更新し、前記第１の記憶手段を初期化することを特徴とするとすることができる。
【手続補正８】
【補正対象書類名】明細書
【補正対象項目名】００１８
【補正方法】変更
【補正の内容】
【００１８】
本発明は、無線通信を行う無線通信部、及び所定情報を記憶するメモリを有する携帯端末装置と、前記所定情報の書き換え可能なＲＦＩＤ部、前記ＲＦＩＤ部のアンテナ、及び前記所定情報をバックアップする第１の記憶手段を有する充電装置とを有する通信システムにおいて、前記充電装置は、前記携帯端末装置固有の識別情報を記憶する第２の記憶手段と、前記無線通信部と無線通信を行うとき、前記アンテナによって受信した前記携帯端末装置固有の識別情報と、前記第２の記憶手段に記憶された識別情報とが一致するか否かを判断する判断手段とを有し、前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする。
【手続補正９】
【補正対象書類名】明細書
【補正対象項目名】００１９
【補正方法】変更
【補正の内容】
【００１９】
本発明は、上記通信システムにおいて、前記充電装置は、前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とすることができる。
【手続補正１０】
【補正対象書類名】明細書
【補正対象項目名】００２０
【補正方法】変更
【補正の内容】
【００２０】
本発明は、上記通信システムにおいて、前記充電装置は、前記第１の記憶手段を初期化するとき、前記ＲＦＩＤ部は前記アンテナから所定周波数の電波を発信して前記携帯端末装置固有の識別情報の送信を要求し、前記アンテナによって受信した前記携帯端末装置固有の識別情報により前記第２の記憶手段に記憶された前記識別情報を更新し、前記第１の記憶手段を初期化することを特徴とすることができる。
【手続補正１１】
【補正対象書類名】明細書
【補正対象項目名】００２１
【補正方法】変更
【補正の内容】
【００２１】
本発明は、上記通信システムにおいて、前記充電装置は、前記アンテナを介して電磁波を放射して前記携帯端末装置に電気を供給する電源供給手段を有し、前記携帯端末装置は、前記携帯端末装置に電力を供給する電池と、前記無線通信部を介して受信した前記電磁波を電気に変換して前記電池を充電する充電制御手段とを有することを特徴とすることができる。
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】変更
【補正の内容】
【００２５】
本発明は、所定情報の書き換え可能なＲＦＩＤ部と、前記ＲＦＩＤ部のアンテナと、前記所定情報をバックアップする第１の記憶手段と有する充電装置において、携帯端末装置固有の識別情報を記憶する第２の記憶手段と、前記携帯端末装置と無線通信を行うとき、前記アンテナによって受信した前記携帯端末装置固有の識別情報と、前記第２の記憶手段に記憶された識別情報とが一致するか否かを判断する判断手段とを有し、前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする。
【手続補正１６】
【補正対象書類名】明細書
【補正対象項目名】００２６
【補正方法】変更
【補正の内容】
【００２６】
本発明は、上記充電装置において、前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とすることができる。
【手続補正１７】
【補正対象書類名】明細書
【補正対象項目名】００２７
【補正方法】変更
【補正の内容】
【００２７】
本発明は、上記充電装置において、前記第１の記憶手段を初期化するとき、前記ＲＦＩＤ部は前記アンテナから所定周波数の電波を発信して前記携帯端末装置固有の識別情報の送信を要求し、前記アンテナによって受信した前記携帯端末装置固有の識別情報により前記第２の記憶手段に記憶された前記識別情報を更新し、前記第１の記憶手段を初期化することを特徴とすることができる。
【手続補正１８】
【補正対象書類名】明細書
【補正対象項目名】００２８
【補正方法】変更
【補正の内容】
【００２８】
本発明は、上記充電装置において、前記充電装置は、前記アンテナを介して電磁波を放射して前記携帯端末装置に電気を供給する電源供給手段を有することを特徴とすることができる。
【手続補正１９】
【補正対象書類名】明細書
【補正対象項目名】００２９
【補正方法】変更
【補正の内容】
【００２９】
本発明は、無線通信を行う無線通信部、及び所定情報を記憶するメモリとを有する携帯端末装置と、前記所定情報の書き換え可能なＲＦＩＤ部、前記ＲＦＩＤ部のアンテナ、前記所定情報をバックアップする第１の記憶手段、及び前記携帯端末装置固有の識別情報を記憶する第２の記憶手段を有する外部記憶装置とを有する通信システムの通信方法において、前記外部記憶装置は、前記無線通信部と無線通信を行うとき、前記アンテナによって受信した前記携帯端末装置固有の識別情報と、前記第２の記憶手段に記憶された識別情報とが一致するか否かを判断する判断工程と、前記判断工程によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納する工程とを有することを特徴とする。
【手続補正２０】
【補正対象書類名】明細書
【補正対象項目名】００３０
【補正方法】変更
【補正の内容】
【００３０】
本発明は、上記通信方法において、前記外部記憶装置は、前記判断工程によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信する工程を有することを特徴とすることができる。
【手続補正２１】
【補正対象書類名】明細書
【補正対象項目名】００３１
【補正方法】変更
【補正の内容】
【００３１】
本発明は、上記通信方法において、前記外部記憶装置は、前記第１の記憶手段を初期化するとき、前記ＲＦＩＤ部により前記アンテナから所定周波数の電波を発信して前記携帯端末装置固有の識別情報の送信を要求する工程と、前記アンテナによって受信した前記携帯端末装置固有の識別情報により前記第２の記憶手段に記憶された前記識別情報を更新する工程と、前記第１の記憶手段を初期化する工程とを有することを特徴とすることができる。
【手続補正２２】
【補正対象書類名】明細書
【補正対象項目名】００３２
【補正方法】変更
【補正の内容】
【００３２】
本発明は、無線通信を行う無線通信部、及び所定情報を記憶するメモリとを有する携帯端末装置と、前記所定情報の書き換え可能なＲＦＩＤ部、前記ＲＦＩＤ部のアンテナ、前記所定情報をバックアップする第１の記憶手段、及び前記携帯端末装置固有の識別情報を記憶する第２の記憶手段を有する充電装置とを有する通信システムの通信方法において、前記充電装置は、前記無線通信部と無線通信を行うとき、前記アンテナによって受信した前記携帯端末装置固有の識別情報と、前記第２の記憶手段に記憶された識別情報とが一致するか否かを判断する判断工程と、前記判断工程によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納する工程とを有することを特徴とする。
【手続補正２３】
【補正対象書類名】明細書
【補正対象項目名】００３３
【補正方法】変更
【補正の内容】
【００３３】
本発明は、上記通信方法において、前記充電装置は、前記判断工程によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信する工程を有することを特徴とすることができる。
【手続補正２４】
【補正対象書類名】明細書
【補正対象項目名】００３４
【補正方法】変更
【補正の内容】
【００３４】
本発明は、上記通信方法において、前記充電装置は、前記第１の記憶手段を初期化するとき、前記ＲＦＩＤ部により前記アンテナから所定周波数の電波を発信して前記携帯端末装置固有の識別情報の送信を要求する工程と、前記アンテナによって受信した前記携帯端末装置固有の識別情報により前記第２の記憶手段に記憶された前記識別情報を更新する工程と、前記第１の記憶手段を初期化する工程とを有することを特徴とすることができる。
【手続補正２５】
【補正対象書類名】明細書
【補正対象項目名】００３５
【補正方法】変更
【補正の内容】
【００３５】
本発明は、上記通信方法において、前記携帯端末装置は、前記携帯端末装置に電力を供給する電池を有し、前記充電装置は、前記アンテナを介して電磁波を放射して前記携帯端末装置に電気を供給する工程を有し、前記携帯端末装置は、前記無線通信部を介して受信した前記電磁波を電気に変換して前記電池を充電する工程を有することを特徴とすることができる。
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】